(57)【要約】【課題】塗布具を引き出した状態で容器本体が転倒しても内容液がこぼれ出ることを防止できる塗布具付き容器を提供する。【解決手段】塗布具付き容器１は、内容液が収容される容器本体２と、容器本体２の口部３に着脱可能に装着されたキャップ体４と、キャップ体４に支持され、容器本体２の口部３に挿入されるブラシ軸５と、容器本体２の口部３を閉塞する弾性膜３１を有し、当該弾性膜３１にブラシ軸５が挿入可能なスリット３１ａが形成されたしごき部材６と、を備える。【選択図】図１
2019146924.tif 000002
【特許請求の範囲】
【請求項１】
内容液が収容される容器本体と、
前記容器本体の口部に着脱可能に装着されたキャップ体と、
前記キャップ体に支持され、前記容器本体の口部に挿入される塗布具と、
前記容器本体の口部を閉塞する弾性膜を有し、当該弾性膜に前記塗布具が挿入可能なスリットが形成されたしごき部材と、を備える、ことを特徴とする塗布具付き容器。
【請求項２】
前記しごき部材は、前記容器本体の口部の内側に嵌合されたしごき筒部を有し、
前記しごき筒部の内側に、前記弾性膜が固定されている、ことを特徴とする請求項１に記載の塗布具付き容器。
【発明の詳細な説明】
【技術分野】
【０００１】
本発明は、塗布具付き容器に関する。
【背景技術】
【０００２】
塗布具付き容器として、下記特許文献１には、マスカラ、液状アイライナー、液状口紅等の内容液を収容する液状化粧料容器が記載されている。この液状化粧料容器は、内容液を塗布するための塗布刷毛の筆軸（塗布具）を備え、当該筆軸が挿入される容器本体の口部には、筆軸のしごき部材が装着されている。しごき部材は、筆軸の外径よりやや小径かあるいはほぼ同径の挿通孔と、当該挿通孔に形成された複数の切れ込みと、を備え、当該複数の切れ込みによって形成された複数のしごき片によって、筆軸に付着した余分な内容液をしごき落とすようになっている。
【先行技術文献】
【特許文献】
【０００３】
【特許文献１】実開昭５５−１３３９０６号公報
【発明の概要】
【発明が解決しようとする課題】
【０００４】
ところで、前記従来の塗布具付き容器では、しごき部材に孔（挿通孔）が開いているため、塗布具を引き出した状態で容器本体が転倒してしまうと、内容液がこぼれ出てしまう虞があった。
【０００５】
本発明は、このような事情に鑑みてなされたものであって、その目的は、塗布具を引き出した状態で容器本体が転倒しても内容液がこぼれ出ることを防止できる塗布具付き容器を提供することである。
【課題を解決するための手段】
【０００６】
（１）本発明に係る塗布具付き容器は、内容液が収容される容器本体と、前記容器本体の口部に着脱可能に装着されたキャップ体と、前記キャップ体に支持され、前記容器本体の口部に挿入される塗布具と、前記容器本体の口部を閉塞する弾性膜を有し、当該弾性膜に前記塗布具が挿入可能なスリットが形成されたしごき部材と、を備える、ことを特徴とする。
【０００７】
本発明に係る塗布具付き容器によれば、塗布具が挿入される容器本体の口部が弾性膜によって閉塞され、当該弾性膜には塗布具が挿入可能なスリットが形成されているので、塗布具を容器本体から引き出した後は、スリットが復元変形し、口部が閉塞されるため、容器本体が転倒しても内容液がこぼれ出ることを防止できる。また、塗布具を容器本体から引き出す際には、スリットによって弾性膜に形成された弾性片（しごき片）が、塗布具に付着した余分な内容液をしごき落とすため、内容液が塗布具から垂れ落ちることを防止できる。
【０００８】
（２）前記しごき部材は、前記容器本体の口部の内側に嵌合されたしごき筒部を有し、前記しごき筒部の内側に、前記弾性膜が固定されていても良い。
【０００９】
この場合には、スリットが形成された弾性膜が容器本体の口部の内側に嵌合された筒部に固定されているので、塗布具を容器本体から引き出す際、また、塗布具を容器本体に挿入する際に、しごき部材が容器本体に対して上下に位置ずれすることを防止できる。
【発明の効果】
【００１０】
本発明に係る塗布具付き容器によれば、塗布具を引き出した状態で容器本体が転倒しても内容液がこぼれ出ることを防止できる。
【図面の簡単な説明】
【００１１】
【図１】本発明の第１実施形態に係る塗布具付き容器の縦断面図である。
【図２】図１に示す塗布具付き容器から塗布具（ブラシ軸）を引き出したときの縦断面図である。
【図３】図２に示す塗布具付き容器の口部を閉塞する弾性膜の平面図である。
【図４】本発明の第２実施形態に係る塗布具付き容器の縦断面図である。
【図５】図４に示す塗布具付き容器から塗布具（スポイト管）を引き出したときの縦断面図である。
【図６】本発明の第３実施形態に係る塗布具付き容器であって、塗布具付き容器から塗布具を引き出したときの縦断面図である。
【発明を実施するための形態】
【００１２】
以下、図面を参照し、本発明の一実施形態に係る塗布具付き容器を説明する。
【００１３】
（第１実施形態）
図１に示すように、第１実施形態の塗布具付き容器１は、内容液が収容される容器本体２と、容器本体２の口部３に着脱可能に装着されたキャップ体４と、キャップ体に支持され、容器本体２の口部３に挿入されるブラシ軸５（塗布具）と、ブラシ軸５に付着した余分な内容液をしごき落とすしごき部材６と、を備えている。
なお、容器本体２に収容される内容液としては、例えば化粧液や薬液、接着液、洗浄液等が挙げられる。化粧液の具体例としては、例えばマスカラやアイライナー、リップグロス等が挙げられる。
【００１４】
塗布具付き容器１では、容器本体２は有底筒状に形成されるとともに、キャップ体４は有頂筒状に形成され、それぞれの中心軸線が共通軸上に配置されている。以下の説明では、この共通軸を容器軸Ｏといい、容器軸Ｏ方向に沿う容器本体２の底部２ｃ側を下側、容器軸Ｏ方向に沿う容器本体２の口部３側を上側という。また、容器軸Ｏ方向から見た平面視において、容器軸Ｏに交差する方向を径方向といい、容器軸Ｏ回りに周回する方向を周方向という。
【００１５】
容器本体２は、外周面に雄ネジが形成された円筒状の口部３と、口部３より大径の円筒状の胴部２ａと、口部３と胴部２ａとを連結する肩部２ｂと、胴部２ａの下端開口を閉塞する底部２ｃと、を備え、これらが一体に形成されている。容器本体２の内側における、口部３と胴部２ａとの接続部（肩部２ｂの内面）には、しごき部材６が係止される被係止部２ｄが形成されている。被係止部２ｄは、上方から下方に向かうに従い漸次拡径している。
【００１６】
キャップ体４の下部の内周面には、口部３に形成された雄ネジに螺合可能な雌ネジが形成されている。また、キャップ体４の中間部の内周面には、ブラシ軸５がアンダーカット嵌合する嵌合溝１２が形成されている。
ブラシ軸５は、キャップ体４に嵌合される嵌合部２０と、内容液を含ませることができる塗布部２１と、嵌合部２０と塗布部２１とを連結する連結部２２と、を備える。嵌合部２０の下端部の外周面には、嵌合溝１２に嵌合する嵌合突起が形成されている。
【００１７】
ブラシ軸５は、キャップ体４が口部３に装着された状態で、容器軸Ｏと同軸に配置され、かつ塗布部２１が容器本体２の内部に収容される。なお、塗布部２１の具体例としては、例えば筆状やブラシ状、スポンジ状等のものが挙げられる。
【００１８】
しごき部材６は、例えばニトリルゴム（ＮＢＲ）や低密度ポリエチレン（ＬＤＰＥ）、直鎖状低密度ポリエチレン（ＬＬＤＰＥ）等からなり、少なくともしごき片３１ｂが弾性変形可能な肉厚に形成されている。しごき部材６は、容器軸Ｏ方向に沿って延在し、かつ口部３内に嵌合されるしごき筒部３０と、しごき筒部３０の内側に固定された弾性膜３１と、を備える。本実施形態では、しごき筒部３０と弾性膜３１が一体で形成されている。
【００１９】
しごき筒部３０は、上端部から径方向外側に向けて突出する環状の鍔部３２と、下端部における外周面に形成され、径方向外側に向けて突出する環状の係止部３３と、を備える。鍔部３２は、容器本体２の口部３の上端開口縁に、その上方から当接している。なお、鍔部３２は、環状ではなく周方向に間欠に形成されていてもよい。係止部３３は、容器本体２の内側に形成された被係止部２ｄに対して下方から当接している。係止部３３の上面側は、容器軸Ｏ方向に対し略直交する平面状に形成される一方、係止部３３の下面側は、しごき筒部３０の口部３への挿入を容易にするために下方に向かうに従い漸次縮径している。
【００２０】
図２に示すように、しごき筒部３０の内周面には、容器本体２の口部３を閉塞する弾性膜３１が形成されている。弾性膜３１は、しごき筒部３０の内周面から径方向内側に向かうに従って下方に凹んだ逆さ円錐状に形成されている。なお、弾性膜３１は、平坦（水平面）であってもよい。この弾性膜３１には、図３の平面視で示すように、スリット３１ａが形成されている。このスリット３１ａは、容器軸Ｏが通る弾性膜３１の中心において２本のスリットが交差したものである。なお、スリット３１ａは、１本のスリットであってもよいし、３本以上のスリットが交差したものであってもよい。
【００２１】
弾性膜３１には、スリット３１ａによって平面視で略扇型のしごき片３１ｂが複数（本実施形態では４つ）形成されている。本実施形態のしごき片３１ｂは、図２に示すように、径方向の内側に向かうに従って下方に延在している。
図１に戻り、ブラシ軸５の連結部２２の外周面には、弾性膜３１に形成されたスリット３１ａを通過不能な第１膨出部２３と、第１膨出部２３よりも下方に配置され、弾性膜３１に形成されたスリット３１ａを通過可能な第２膨出部２４と、が形成されている。
【００２２】
第１膨出部２３は、径方向における大きさがスリット３１ａよりも大きく、弾性膜３１の上面におけるスリット３１ａよりも径方向外側と全周にわたって当接可能とされている。第２膨出部２４は、径方向における大きさがスリット３１ａよりも小さく、スリット３１ａを通過可能とされている。また、第１膨出部２３と第２膨出部２４との間には、しごき片３１ｂの先端部が配置されるくぼみ部２５が形成されている。
【００２３】
以下、本実施形態の塗布具付き容器１の作用について説明する。
最初に、ブラシ軸５を容器本体２から引き出す場合について説明する。
図１に示す状態において、ブラシ軸５を容器本体２から引き出す際には、最初にキャップ体４を容器本体２に対して回転させ、キャップ体４と容器本体２との螺合を解除し、キャップ体４を容器本体２に対して上方に引き上げる。
【００２４】
キャップ体４の上方への引き上げによってブラシ軸５が上方に移動すると、ブラシ軸５の第２膨出部２４の上部がしごき片３１ｂの先端部に当接する。その後、ブラシ軸５が更に上方に移動すると、しごき片３１ｂの先端部が上方にめくれるように弾性変形する。しごき片３１ｂは、この弾性変形による復元力によってブラシ軸５の外周面に押圧され、ブラシ軸５はこの状態で上方に移動するため、ブラシ軸５の外周面に付着した余分な内容液がしごき片３１ｂによって容器本体２の内側にしごき落とされる。
なお、ブラシ軸５が上方に移動しても、しごき片３１ｂの先端部が上方にめくれない場合もある。この場合は、しごき片３１ｂは、ブラシ軸５によって押し広げられたスリット３１ａを閉じようとする復元力によって、ブラシ軸５の外周面に押圧され、ブラシ軸５はこの状態で上方に移動するため、ブラシ軸５の外周面に付着した余分な内容液が容器本体２の内側にしごき落とされる。
【００２５】
ブラシ軸５を容器本体２から引き出した後は、しごき片３１ｂの弾性変形していた先端部が復元変形する。これにより、図３に示すように、スリット３１ａが閉じる。このため、容器本体２と外部との連通が遮断される。したがって、図２に示すように、ブラシ軸５を容器本体２から引き出した状態で、容器本体２が転倒したとしても、口部３から内容液がこぼれ出ることを防止できる。このようにスリット３１ａが形成された弾性膜３１は、逆止弁（スリット弁）構造となっており、容器本体２の内側から外部への内容物の漏れを防止できる。
【００２６】
次に、ブラシ軸５を容器本体２に挿入する場合について説明する。
ブラシ軸５を容器本体２に挿入する際には、ブラシ軸５の下端に設けられた塗布部２１を口部３内のスリット３１ａに挿入した後、キャップ体４を下方に向けて移動させてブラシ軸５を容器本体２内に押し込む。そして、ブラシ軸５の第１膨出部２３をしごき筒部３０の上端開口から挿入する。
【００２７】
次いで、キャップ体４を容器本体２に対して回転させると、第１膨出部２３は、下方に向かって移動する。キャップ体４の容器本体２への装着が完了したとき、第１膨出部２３が、弾性膜３１の上面におけるスリット３１ａよりも径方向外側と全周にわたって当接することで、容器本体２と外部との連通が遮断される。
なお、第１膨出部２３の外径がしごき筒部３０の内径と略同一であれば、仮に、しごき筒部３０の内周面に内容液が付着している場合であっても、第１膨出部２３が、しごき筒部３０の内周面に付着した内容液を掻き集めながら下方に向かって移動し、キャップ体４の容器本体２への装着が完了したとき、第１膨出部２３によって掻き集められた内容液が、図１に示すように弾性変形したしごき片３１ｂの隙間（スリット３１ａ）を通って、容器本体２内へ戻される。
【００２８】
このように、上述した塗布具付き容器１によれば、ブラシ軸５が挿入される容器本体２の口部３が弾性膜３１によって閉塞され、当該弾性膜３１にブラシ軸５が挿入可能なスリット３１ａが形成されているので、ブラシ軸５を容器本体２から引き出した後は、スリット３１ａが復元変形し、口部３が閉塞されるため、容器本体２が転倒しても内容液がこぼれ出ることを防止できる。また、ブラシ軸５を容器本体２から引き出す際には、スリット３１ａによって弾性膜３１に形成された弾性片（しごき片３１ｂ）が、ブラシ軸５に付着した余分な内容液をしごき落とすため、内容液がブラシ軸５から垂れ落ちることを防止できる。
【００２９】
また、本実施形態のしごき部材６は、容器本体２の口部３の内側に嵌合されたしごき筒部３０を有し、しごき筒部３０の内側に、弾性膜３１が固定されている。しごき筒部３０は、容器本体２の口部３の上端開口縁と上方から当接する鍔部３２と、容器本体２の内側の被係止部２ｄと下方から当接する係止部３３とを備えるので、ブラシ軸５を容器本体２から引き出す際、また、ブラシ軸５を容器本体２に挿入する際に、しごき部材６が容器本体２に対して上下に位置ずれすることを防止できる。
【００３０】
（第２実施形態）
次に、本発明の第２実施形態について説明する。以下の説明において、上述の実施形態と同一又は同等の構成については同一の符号を付し、その説明を簡略若しくは省略する。
【００３１】
図４に示すように、第２実施形態の塗布具付き容器１Ａは、塗布具としてスポイト管５Ａを備える点で、上記実施形態と異なる。また、しごき部材６Ａの構造が、上記実施形態と異なる。
【００３２】
キャップ体４は、容器本体２の口部３に装着される内キャップ４０と、内キャップ４０の外側に固定された外キャップ４１と、を有する。外キャップ４１の頂壁部には、容器軸Ｏ方向に移動可能なボタン部４２が設けられている。ボタン部４２には、ピストン４３が固定されている。ここで、スポイト管５Ａの下端開口部は、容器本体２内の底部２ｃに配置されている。スポイト管５Ａの上端開口部には、シリンダ４４が固定されている。そして、ピストン４３は、このシリンダ４４の内周面に対し、容器軸Ｏ方向に摺動可能に嵌合している。
【００３３】
シリンダ４４とボタン部４２との間には、シリンダ４４及びスポイト管５Ａをキャップ体４に対して下方に向けて付勢する付勢部材４５が配置されている。また、シリンダ４４及び内キャップ４０には、互いに係止可能な係止片４４ａ，４０ａが設けられている。キャップ体４が容器本体２から取り外されて容器本体２に対して上昇し、付勢部材４５の下方付勢力により、シリンダ４４及びスポイト管５Ａがキャップ体４に対して下方に移動したときに、シリンダ４４の係止片４４ａが内キャップ４０の係止片４０ａに係止する。
【００３４】
この際、シリンダ４４に対してピストン４３が相対的に上昇する。そうすると、シリンダ４４の内部容積が増大して負圧が生じる。この負圧によりスポイト管５Ａの内部に容器本体２に収容されている内容液が吸引される。また、この状態で、ボタン部４２を押下すると、シリンダ４４内の空気が加圧されてスポイト管５Ａ内に押し出され、スポイト管５Ａから内容物を吐出することができる。
なお、キャップ体４を取り外した状態で、ボタン部４２を付勢部材４５の付勢に抗して押下すると共に、当該ボタン部４２の押下を解除したときも、同様にシリンダ４４の内部容積が増大して負圧が生じ、スポイト管５Ａの内部に容器本体２に収容されている内容液を吸引することができる。
【００３５】
第２実施形態のしごき部材６Ａは、口部３の内側に嵌合されたしごき筒部５１と、しごき筒部５１の下端部に装着された固定部材５２と、しごき筒部５１と固定部材５２との間に保持された弁部材５３と、を備える。しごき筒部５１は、容器本体２の口部３の上端開口縁に当接する鍔部５１ａと、鍔部５１ａの径方向内端縁に連設され、口部１１ａの内側に嵌合される内嵌筒部５１ｂと、内嵌筒部５１ｂから径方向内側に延設され、スポイト管５Ａを口部３における径方向の中央部にガイドする環状のガイド片５１ｃと、を有する。
【００３６】
固定部材５２は、底面に貫通孔が形成された有底筒状に形成されており、しごき筒部５１においてガイド片５１ｃよりも下方に位置する下端部の外周面に嵌合している。弁部材５３は、しごき筒部５１の下端開口縁と固定部材５２の底面との間に挟み込まれる鍔部５３ａと、鍔部５３ａの径方向内端縁に連設された有頂筒状の本体部５３ｂと、を備える。本体部５３ｂの頂壁部は、上述した実施形態と同様にスリット３１ａが形成された弾性膜３１となっており、逆ドーム状に窪んでいる。
【００３７】
上記構成の第２実施形態によれば、しごき部材６Ａの弁部材５３が、容器本体２の口部３を閉塞する弾性膜３１を有し、当該弾性膜３１にスポイト管５Ａが挿入可能なスリット３１ａが形成されているため、図５に示すように、スポイト管５Ａを容器本体２から引き出した後は、スリット３１ａが復元変形し、口部３が閉塞されるため、容器本体２が転倒しても内容液がこぼれ出ることを防止できる。また、スポイト管５Ａを容器本体２から引き出す際には、スリット３１ａによって弾性膜３１に形成された弾性片（しごき片）が、スポイト管５Ａの外周面に付着した余分な内容液をしごき落とすため、内容液がスポイト管５Ａから垂れ落ちることを防止できる。
【００３８】
（第３実施形態）
次に、本発明の第３実施形態について説明する。以下の説明において、上述の実施形態と同一又は同等の構成については同一の符号を付し、その説明を簡略若しくは省略する。
【００３９】
図６に示す第３実施形態の塗布具付き容器１Ｂにおいては、しごき部材６Ｂが容器本体２の口部３の上端部に取り付けられている。しごき部材６Ｂは、容器本体２の口部３の上端開口縁に当接される鍔部６Ｂ１と、鍔部６Ｂ１の径方向内側の下面に連設され、口部１１ａの内周面に当接するしごき筒部６Ｂ２と、しごき筒部６Ｂ２の上端部から径方向内方に延設される弾性膜３１と、を備える。弾性膜３１には、スリット３１ａが形成され、逆ドーム状に窪んでいる。
【００４０】
しごき部材６Ｂは、容器本体２の口部３に嵌合する嵌合部材６０によって、口部３に取り付けられている。嵌合部材６０は、口部３の上端部の外周面に外嵌する筒状の嵌合部６１と、嵌合部６１の上端部から径方向内側に延在し、鍔部６Ｂ１の上面を覆う環状壁６２と、環状壁６２の径方向内端縁から容器軸Ｏに向かって径方向内側に延在する環状のガイド片６３とを有する。
このような構成であっても、上述した実施形態と同様の作用効果が得られる。
【００４１】
その他、本発明の趣旨を逸脱しない範囲で、上記した実施の形態における構成要素を周知の構成要素に置き換えることは適宜可能である。
【符号の説明】
【００４２】
１…塗布具付き容器、１Ａ…塗布具付き容器、１Ｂ…塗布具付き容器、２…容器本体、２ａ…胴部、２ｂ…肩部、２ｃ…底部、２ｄ…被係止部、３…口部、４…キャップ体、５…ブラシ軸（塗布具）、５Ａ…スポイト管（塗布具）、６…しごき部材、６Ａ…しごき部材、６Ｂ…しごき部材、６Ｂ１…鍔部、６Ｂ２…しごき筒部、１０…装着部、１１…支持部、１１ａ…口部、１２…嵌合溝、２０…嵌合部、２１…塗布部、２２…連結部、２３…第１膨出部、２４…第２膨出部、２５…くぼみ部、３０…筒部、３１…弾性膜、３１ａ…スリット、３１ｂ…しごき片、３２…鍔部、３３…係止部、４０…内キャップ、４１…外キャップ、４２…ボタン部、４３…ピストン、４４…シリンダ、４４ａ…係止片、４５…付勢部材、５１…しごき筒部、５１ａ…鍔部、５１ｂ…内嵌筒部、５１ｃ…ガイド片、５２…固定部材、５３…弁部材、５３ａ…鍔部、５３ｂ…本体部、６０…嵌合部材、６１…嵌合部、６２…環状壁、６３…ガイド片、Ｏ…容器軸
【図１】
2019146924.tif 000003
【図２】
2019146924.tif 000004
【図３】
2019146924.tif 000005
【図４】
2019146924.tif 000006
【図５】
2019146924.tif 000007
【図６】
2019146924.tif 000008